(57)【特許請求の範囲】
【請求項１】
水槽本体（Ｖ）内に、水中ポンプ（２）により該水槽本体（Ｖ）内の水を循環濾過するようにした濾過装置（Ｆ）を備えると共に陸上植物（３１）を育成するためのプランター（Ｐ）を備えてなるプランター付水槽装置において、
前記水槽本体（Ｖ）の開放上面に前記プランター（Ｐ）を着脱可能に設け、このプランター（Ｐ）の底壁（１４）を水平面に対して前記水中ポンプ（２）より噴出する水の流れ方向に沿い上り勾配に傾斜する傾斜面に形成し、その傾斜面に、プランター（Ｐ）内と水槽本体（Ｖ）内とを連通する複数の小孔（２０）を穿設したことを特徴とする、プランター付水槽装置。
【請求項２】
前記プランター（Ｐ）の底壁に穿設される複数の小孔（２０）は、前記水中ポンプ（２）からの水の流れ方向に沿って細長く形成されていることを特徴とする、請求項１に記載のプランター付水槽装置。
【請求項３】
前記水槽本体（Ｖ）およびプランター（Ｐ）は、いずれも透明に形成されていることを特徴とする、前記請求項１または２記載のプランター付水槽装置。
【発明の詳細な説明】
【技術分野】
【０００１】
本発明は、熱帯魚、金魚などの観賞魚や水草を育成するための水槽に、陸上植物を育成するためのプランターを併設したプランター付水槽装置に関する。
【背景技術】
【０００２】
従来、共通の容器に水槽とプランターとを纏めて設備した、プランター付水槽装置は公知である（後記特許文献１参照）。
【先行技術文献】
【特許文献】
【０００３】
【特許文献１】特許第３８０２６３２号公報
【発明の概要】
【発明が解決しようとする課題】
【０００４】
従来の上記水槽装置では、容器内を、鉛直な仕切り壁により水槽ゾーンとプランターゾーンとに区画し、その仕切り壁に開口した複数の小孔を通して容器内の水が両ゾーン間を行き来するように構成されている。
【０００５】
ところで、プランターゾーンに植え込まれる観葉植物、ハーブなどの陸上植物を根腐れなどで枯らさずに長く良好に育成させるには、そのプランターゾーンに常に積極的に綺麗な水を流通させることが要求されるが、前記従来のものでは、そのような対策がなされていないないため、前記要求を充足させることができないという問題があった。
【０００６】
本発明は、斯かる事情に鑑みてなされたものであり、前記問題を解決した、新規なプランター付水槽装置を提供することを目的としている。
【課題を解決するための手段】
【０００７】
上記目的を達成するため、請求項１の発明は、水槽本体内に、水中ポンプにより該水槽本体内の水を循環濾過するようにした濾過装置を備えると共に陸上植物を育成するためのプランターを備えてなるプランター付水槽装置において、
前記水槽本体の開放上面に前記プランターを着脱可能に設け、このプランターの底壁を水平面に対して前記水中ポンプより噴出する水の流れ方向に沿い上り勾配に傾斜する傾斜面に形成し、その傾斜面に、プランター内と水槽本体内とを連通する複数の小孔を穿設したことを特徴としている。
【０００８】
上記目的を達成するため、請求項２の発明は、前記請求項１記載のものにおいて、前記プランターの底壁に穿設される複数の小孔は、前記水中ポンプからの水の流れ方向に沿って細長く形成されていることを特徴としている。
【０００９】
上記目的を達成するため、請求項３の発明は、前記請求項１または２記載のものにおいて、前記水槽本体およびプランターは、いずれも透明に形成されていることを特徴としている。
【発明の効果】
【００１０】
各請求項の発明によれば、濾過装置から水槽本体内を流れる水の流れを良好にして、水槽本体内の水の浄化作用を高めると共に、プランターに植え付けられる陸上植物の育成を良好にすることができる。
【００１１】
また、特に請求項２の発明によれば、プランターの底壁に水中ポンプからの水の流れ方向に沿って細長く形成される複数の小孔は、水を流れを底壁の傾斜面に沿って誘導してプランター内への新しい水の循環を一層促進することができる。
【００１２】
さらに、特に請求項３の発明によれば、水槽本体とプランター内を流れる水の流れ状態を外部から観察することができる。
【図面の簡単な説明】
【００１３】
【図１】本発明水槽装置の全体斜視図
【図２】図１の２矢視図
【図３】プランターの全体斜視図
【図４】本発明水槽装置の使用状態を示す一部破断側面図
【図５】図４の５−５線に沿う断面図
【発明を実施するための形態】
【００１４】
本発明の実施の形態を、添付図面に例示した本発明の実施例に基づいて以下に具体的に説明する。
【００１５】
先ず、図１，２において、プランター付水槽装置は、上面を開放した直方体の水槽本体Ｖと、その水槽本体Ｖ内に設置される内部式濾過装置Ｆと、水槽本体Ｖの開放上面に着脱可能に設けられるプランターＰとを備えている。
【００１６】
前記水槽本体Ｖは、透明な、アクリル等の硬質の合成樹脂材またはガラス材より、一体に形成されている。
【００１７】
前記内部式濾過装置Ｆは、従来公知のもので、三角筒状の濾過本体１上部に水中ポンプ２が設けらており、この水中ポンプ２の吐出口には、複数の噴水ノズル４を設けた噴出管３が接続されている。水槽本体Ｖ内の一つの隅角部に、水槽水内に没するように吸盤５により取り付けられる。濾過本体１の外面には、水中ポンプ２の吸込側に通じる吸込口６が開口され、また、その内部に図示しない濾材が収容されており、水中ポンプ２の駆動によれば、吸込口６より濾過本体１内に吸い込まれた水槽水は、濾材により濾過された後、前記複数の噴水ノズル４より水槽本体Ｖ内に噴出される。
【００１８】
なお、内部式濾過装置Ｆは、従来公知のものなので、その詳細な説明を省略する。
【００１９】
前記プランターＰは、図１，３に示すように、透明な、アクリル等の硬質の合成樹脂材またはガラス材より、その平面面積が、水槽本体Ｖの開口上面の略半分を占める大きさを有して、平面長方形の皿状に形成されており、その長手方向の前後側壁１０，１１と、これと直交する方向の左右側壁１２，１３と、底壁１４とよりなり、その開放上面の長手方向の両側縁に、水槽本体Ｖの上縁に着座し得る外向きの受けフランジ１５，１６が一体に張り出している。プランターＰの底壁１４は、その長手方向の後側壁１１から前側壁１０に向かって上り勾配に傾斜する傾斜面に形成されており、この底壁１４の上り側の端部と前側壁１０の下部および底壁１４の下り側の端部と後側壁１１の下部とは、それぞれ外側に凸の円弧面１７，１８により滑らかに接続されている。
【００２０】
また、前記底壁１４には、その全面に亘り、その長手方向に沿って複数列の小孔２０が穿設され、相隣合う列の複数の小孔２０は、その列方向に互いに齟齬されていて平面視千鳥状に形成されている。複数の小孔２０は、プランターＰの長手方向と直交する方向に細長い長孔に形成され、複数列の小孔のうち、底壁１４の前後端側にあるものは、前記円弧面１７，１８に跨がっている。また、プランターＰの長手方向の後側壁１１および長手方向と直交する方向の右側壁１３には、前記水中ポンプ２に接続される電気コード２Ｃを選択的に挿通するための凹溝２１，２２が形成されている。
【００２１】
図４，５に示すように、前記プランターＰには、用土３０が収容される。この用土３０の粒径は、前記複数の小孔２０の横幅よりも大きい。そして、用土３０には、観葉植物、ハーブなどの陸上植物３１を植え込んだ後、このプランターＰを、水槽本体Ｖ１内に、その開放上面より組み込み、その受けフランジ１５，１６を水槽本体Ｖ１の上縁に着座させる。これにより、プランターＰは、水槽本体Ｖの上部に取り付けられる。この取付状態では、プランターＰは、水槽本体Ｖの開放上面の略半分を占めるようにされ、その残りの略半分は、アクリル板あるいはガラス板よりなる蓋板２４により覆うようにする。
【００２２】
プランターＰの上下方向に傾斜する傾斜面よりなる底壁１４は、その上り側が水槽本体１の中央側に、その下り側が水槽本体Ｖの壁面に沿うように、水平線に対して傾斜角θ（図４）をもって配置される。これにより、図４矢印ａに示すように、水槽本体Ｖ内に設置される濾過装置Ｆの噴出管３の噴出ノズル１４より噴出する濾過された新しい水は、プランターＰの底壁１４の上り勾配に傾斜する傾斜面に沿うように流れたのち、プランターＰの長手方向の前側壁１０に沿って上昇する。このとき、その水は、長孔よりなる複数の小孔２０により誘導されて乱れることなく底壁１４に沿って流れる。そして、噴出ノズル４からの噴流水は、複数の小孔２０を通ってプランターＰ内に滞留する水を吸引して引き出すと共にそれらの小孔２０を通ってプランターＰ内に流入する。これにより、プランターＰ内には、絶えず噴出ノズル４から噴出する新しい水を循環、流通させることができ、プランターＰ内に古い水が滞留したままになることがなく、プランターＰに植え付けられる陸上植物３１の根腐れを防止して、その良好な育成が促進され、また、水槽水の浄化が一層促進される。また、濾過装置Ｆから水槽本体Ｖ内を流れる水の流れを良好にして、水槽本体Ｖ内の水の浄化作用を高めることができる。また、水槽本体ＶおよびプランターＰはいずれも透明であるので、前記水の流れを外部から観察することができる。
【００２３】
なお、濾過装置Ｆの水中ポンプ２に連なる電線コード２Ｃは、プランターＰの形成した凹溝２１，２２に選択的に挿通されて水槽本体Ｖの外に引き出される。
【００２４】
以上、本発明の第１〜第３実施例について説明したが、本発明はこの実施例に限定されることなく、本発明の範囲内で種々の実施例が可能である。たとえば、前記実施例では、プランターの大きさは、その平面面積が、水槽本体の開口面積の略半分とされているが、その大きさを問わない。
【符号の説明】
【００２５】
Ｆ・・・・内部式濾過装置
Ｐ・・・・プランター
Ｖ・・・・水槽本体
２・・・・水中ポンプ
１４・・・底壁
２０・・・小孔
【図１】
0005554589.tif 000002
【図２】
0005554589.tif 000003
【図３】
0005554589.tif 000004
【図４】
0005554589.tif 000005
【図５】
0005554589.tif 000006